【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
コンテンツの選択に関連する文脈カテゴリについて順序付けられたオプションの組を提供することであって、前記文脈カテゴリについて順序付けられたオプションの組は１つまたは複数の他の文脈カテゴリについて前もって決定されたオプションに基づいて順序付けられている、前記文脈カテゴリについて順序付けられたオプションの組を提供することと、
コンテンツの選択に関連する１つまたは複数の追加の文脈カテゴリについて順序付けられたオプションの組を提供することであって、前記１つまたは複数の追加の文脈カテゴリについて順序付けられたオプションの組は前記文脈カテゴリについて前記提供されたオプションの組からオプションを特定することに基づいて順序付けられている、前記１つまたは複数の追加の文脈カテゴリについて順序付けられたオプションの組を提供することと、
を含む方法。
【請求項２】
（ｉ）前記文脈カテゴリの前記オプションの前記特定と、（ｉｉ）前記１つまたは複数の追加の文脈カテゴリの前記提供されたオプションからのオプションの特定とに基づいて、ユーザに１つまたは複数のコンテンツを推薦すること、
をさらに含む、請求項１に記載の方法。
【請求項３】
前記文脈カテゴリの前記オプションの組は、選択の尤度に基づいて順序付けられて、選択の尤度を反映する順で提供され、前記尤度は、前記１つまたは複数の他の文脈カテゴリの前記前もって決定されたオプションに基づいており、
前記１つまたは複数の追加の文脈カテゴリの前記オプションの組は、選択の尤度に基づいて順序付けられ、選択の尤度を反映する順で提供され、前記尤度は、前記文脈カテゴリの前記オプションの前記特定に基づいている、
請求項１および２のいずれかに記載の方法。
【請求項４】
前記１つまたは複数のコンテンツを推薦することは、選択の尤度を反映する順で前記１つまたは複数のコンテンツを推薦することを含む、請求項２に記載の方法。
【請求項５】
前記文脈カテゴリ、または、前記１つまたは複数の追加の文脈カテゴリ、の少なくとも１つは、（ｉ）意図するコンテンツを消費する曜日（ｉｉ）意図するコンテンツを消費する時間、（ｉｉｉ）意図するコンテンツを消費する時期、（ｉｖ）ユーザの感情、（ｖ）コンテンツを消費する予定の視聴者、または、（ｖｉ）コンテンツのジャンル、の１つまたは複数を含む、請求項１から４のいずれかに記載の方法。
【請求項６】
前記文脈カテゴリは、前記コンテンツを消費する予定の視聴者を含み、
前記１つまたは複数の追加の文脈カテゴリは、前記コンテンツのジャンルを含む、
請求項１から５のいずれかに記載の方法。
【請求項７】
前記文脈カテゴリは、（ｉ）意図するコンテンツを消費する曜日、または、（ｉｉ）コンテンツを消費する時間、の１つまたは複数を含む、
請求項１から６のいずれかに記載の方法。
【請求項８】
前記１つまたは複数のコンテンツを推薦することは、（ｉ）ユーザの行動から追跡された情報、および／または、（ｉｉ）複数のユーザから収集された情報、の１つまたは複数にさらに基づく、請求項２または４に記載の方法。
【請求項９】
前記１つまたは複数のコンテンツを推薦することは、（ｉ）ユーザの行動から追跡された情報、および／または、（ｉｉ）複数のユーザから収集された情報、の１つまたは複数からの入力に適用された外挿法および／または機械学習、の１つまたは複数にさらに基づく、請求項２、４、８のいずれかに記載の方法。
【請求項１０】
前記文脈カテゴリの前記オプションの前記特定として、ユーザ入力を受信することをさらに含む、請求項１から９のいずれかに記載の方法。
【請求項１１】
前記１つまたは複数の追加の文脈カテゴリの前記オプションの前記特定として、ユーザ入力を受信することをさらに含む、請求項２から１０のいずれかに記載の方法。
【請求項１２】
請求項１から１１の方法の１つまたは複数を行うように構成された装置。
【請求項１３】
請求項１から１１の方法の１つまたは複数を行うように集合的に構成された１つまたは複数のプロセッサを含む、請求項１２に記載の装置。
【請求項１４】
コンテンツの選択に関連する文脈カテゴリについて順序付けられたオプションの組を提供する手段であって、前記文脈カテゴリについて順序付けられたオプションの組は１つまたは複数の他の文脈カテゴリについて前もって決定されたオプションに基づいて順序付けられている、前記文脈カテゴリについて順序付けられたオプションの組を提供する手段と、
コンテンツの選択に関連する１つまたは複数の追加の文脈カテゴリについて順序付けられたオプションの組を提供する手段であって、前記１つまたは複数の追加の文脈カテゴリについて順序付けられたオプションの組は前記文脈カテゴリについて前記提供されたオプションの組からオプションを特定することに基づいて順序付けられている、前記１つまたは複数の追加の文脈カテゴリについて順序付けられたオプションの組を提供する手段と、
を含む装置。
【請求項１５】
提示装置と、
コンテンツの選択に関連する文脈カテゴリについて順序付けられたオプションの組を前記提示装置上に提供するように構成されたプロセッサであって、前記文脈カテゴリについて順序付けられたオプションの組は１つまたは複数の他の文脈カテゴリについて前もって決定されたオプションに基づいて順序付けられている、前記文脈カテゴリについて順序付けられたオプションの組を前記提示装置上に提供するように構成されたプロセッサと、
を含み、
前記プロセッサは、コンテンツの選択に関連する１つまたは複数の追加の文脈カテゴリについて順序付けられたオプションの組を前記提示装置上に提供するようにさらに構成されており、前記１つまたは複数の追加の文脈カテゴリについて順序付けられたオプションの組は、前記文脈カテゴリについて前記提供されたオプションの組からオプションを特定することに基づいて順序付けられている、
装置。
【請求項１６】
前記文脈カテゴリの前記オプションの特定として、ユーザ入力を受信するように構成されたユーザ入力装置をさらに含む、請求項１５に記載の装置。
【請求項１７】
前記提示装置および前記ユーザ入力装置は、１つのユニットに統合される、請求項１６に記載の装置。
【請求項１８】
コンテンツの選択に関連する文脈カテゴリについて順序付けられたオプションの組を提供する操作であって、前記文脈カテゴリについて順序付けられたオプションの組は１つまたは複数の他の文脈カテゴリについて前もって決定されたオプションに基づいて順序付けられている、前記文脈カテゴリについて順序付けられたオプションの組を提供する操作と、
コンテンツの選択に関連する１つまたは複数の追加の文脈カテゴリについて順序付けられたオプションの組を提供する操作であって、前記１つまたは複数の追加の文脈カテゴリについて順序付けられたオプションの組は前記文脈カテゴリについて前記提供されたオプションの組からオプションを特定することに基づいて順序付けられている、前記１つまたは複数の追加の文脈カテゴリについて順序付けられたオプションの組を提供する操作と、
を行うように集合的に構成された１つまたは複数のプロセッサを含む装置。
【請求項１９】
コンテンツの選択に関連する文脈カテゴリについて順序付けられたオプションの組を提供する操作であって、前記文脈カテゴリについて順序付けられたオプションの組は１つまたは複数の他の文脈カテゴリについて前もって決定されたオプションに基づいて順序付けられている、前記文脈カテゴリについて順序付けられたオプションの組を提供する操作と、
コンテンツの選択に関連する１つまたは複数の追加の文脈カテゴリについて順序付けられたオプションの組を提供する操作であって、前記１つまたは複数の追加の文脈カテゴリについて順序付けられたオプションの組は前記文脈カテゴリについて前記提供されたオプションの組からオプションを特定することに基づいて順序付けられている、前記１つまたは複数の追加の文脈カテゴリについて順序付けられたオプションの組を提供する操作と、
を１つまたは複数のプロセッサに共同で行わせるための命令を記憶したプロセッサ可読媒体。
【請求項２０】
請求項１から１１の方法の１つまたは複数を１つまたは複数のプロセッサに共同で行わせるための命令を記憶したプロセッサ可読媒体。
【手続補正２】
【補正対象書類名】明細書
【補正対象項目名】０１０２
【補正方法】変更
【補正の内容】
【０１０２】
多くの実施態様を記載したが、様々な変更が行われてよいことは理解されよう。例えば、他の実施態様を作成するために、異なる実施態様の要素は、組み合わされてもよく、補われてもよく、変更されてもよく、または、取り除かれてもよい。さらに、他の構造およびプロセスを開示された構造およびプロセスに代用してもよく、結果として生じる実施態様は、少なくとも実質的に同じ方法で少なくとも実質的に同じ機能を行って、開示された実施態様と少なくとも実質的に同じ結果をもたらすことを、当業者は理解されよう。従って、これらの実施態様および他の実施態様は、この出願書類によって検討されている。
（付記１）
コンテンツの選択に関連する文脈カテゴリについて順序付けられたオプションの組を提供することであって、前記文脈カテゴリについて順序付けられたオプションの組は１つまたは複数の他の文脈カテゴリについて前もって決定されたオプションに基づいて順序付けられている、前記文脈カテゴリについて順序付けられたオプションの組を提供することと、
コンテンツの選択に関連する１つまたは複数の追加の文脈カテゴリについて順序付けられたオプションの組を提供することであって、前記１つまたは複数の追加の文脈カテゴリについて順序付けられたオプションの組は前記文脈カテゴリについて前記提供されたオプションからオプションを特定することに基づいて順序付けられている、前記１つまたは複数の追加の文脈カテゴリについて順序付けられたオプションの組を提供することと、
を含む方法。
（付記２）
（ｉ）前記文脈カテゴリの前記オプションの前記特定と、（ｉｉ）前記１つまたは複数の追加の文脈カテゴリの前記提供されたオプションの組からのオプションの特定とに基づいて、ユーザに１つまたは複数のコンテンツを推薦すること、
をさらに含む、付記１に記載の方法。
（付記３）
前記文脈カテゴリの前記オプションの組は、選択の尤度に基づいて順序付けられて、選択の尤度を反映する順で提供され、前記尤度は、前記１つまたは複数の他の文脈カテゴリの前記前もって決定されたオプションに基づいており、
前記１つまたは複数の追加の文脈カテゴリの前記オプションの組は、選択の尤度に基づいて順序付けられ、選択の尤度を反映する順で提供され、前記尤度は、前記文脈カテゴリの前記オプションの前記特定に基づいている、
付記１および２のいずれかに記載の方法。
（付記４）
前記１つまたは複数のコンテンツを推薦することは、選択の尤度を反映する順で前記１つまたは複数のコンテンツを推薦することを含む、付記２に記載の方法。
（付記５）
前記文脈カテゴリ、または、前記１つまたは複数の追加の文脈カテゴリ、の少なくとも１つは、（ｉ）意図するコンテンツを消費する曜日（ｉｉ）意図するコンテンツを消費する時間、（ｉｉｉ）意図するコンテンツを消費する時期、（ｉｖ）ユーザの感情、（ｖ）コンテンツを消費する予定の視聴者、または、（ｖｉ）コンテンツのジャンル、の１つまたは複数を含む、付記１から４のいずれかに記載の方法。
（付記６）
前記文脈カテゴリは、前記コンテンツを消費する予定の視聴者を含み、
前記１つまたは複数の追加の文脈カテゴリは、前記コンテンツのジャンルを含む、
付記１から５のいずれかに記載の方法。
（付記７）
前記１つまたは複数の文脈カテゴリは、（ｉ）意図するコンテンツを消費する曜日、または、（ｉｉ）コンテンツを消費する時間、の１つまたは複数を含む、
付記１から６のいずれかに記載の方法。
（付記８）
前記１つまたは複数のコンテンツを推薦することは、（ｉ）ユーザの行動から追跡された情報、および／または、（ｉｉ）複数のユーザから収集された情報、の１つまたは複数にさらに基づく、付記２または４に記載の方法。
（付記９）
前記１つまたは複数のコンテンツを推薦することは、（ｉ）ユーザの行動から追跡された情報、および／または、（ｉｉ）複数のユーザから収集された情報、の１つまたは複数からの入力に適用された外挿法および／または機械学習、の１つまたは複数にさらに基づく、付記２、４、８のいずれかに記載の方法。
（付記１０）
前記文脈カテゴリの前記オプションの前記特定として、ユーザ入力を受信することをさらに含む、付記１から９のいずれかに記載の方法。
（付記１１）
前記１つまたは複数の追加の文脈カテゴリの前記オプションの前記特定として、ユーザ入力を受信することをさらに含む、付記２から１０のいずれかに記載の方法。
（付記１２）
付記１から１１の方法の１つまたは複数を行うように構成された装置。
（付記１３）
付記１から１１の方法の１つまたは複数を行うように集合的に構成された１つまたは複数のプロセッサを含む、付記１２に記載の装置。
（付記１４）
コンテンツの選択に関連する文脈カテゴリについて順序付けられたオプションの組を提供する手段であって、前記文脈カテゴリについて順序付けられたオプションの組は１つまたは複数の他の文脈カテゴリについて前もって決定されたオプションに基づいて順序付けられている、前記文脈カテゴリについて順序付けられたオプションの組を提供する手段と、
コンテンツの選択に関連する１つまたは複数の追加の文脈カテゴリについて順序付けられたオプションの組を提供する手段であって、前記１つまたは複数の追加の文脈カテゴリについて順序付けられたオプションの組は前記文脈カテゴリについて前記提供されたオプションからオプションを特定することに基づいて順序付けられている、前記１つまたは複数の追加の文脈カテゴリについて順序付けられたオプションの組を提供する手段と、
を含む装置。
（付記１５）
提示装置と、
コンテンツの選択に関連する文脈カテゴリについて順序付けられたオプションの組を前記提示装置上に提供するように構成されたプロセッサであって、前記文脈カテゴリについて順序付けられたオプションの組は１つまたは複数の他の文脈カテゴリについて前もって決定されたオプションに基づいて順序付けられている、前記文脈カテゴリについて順序付けられたオプションの組を前記提示装置上に提供するように構成されたプロセッサと、
を含み、
前記プロセッサは、コンテンツの選択に関連する１つまたは複数の追加の文脈カテゴリについて順序付けられたオプションの組を前記提示装置上に提供するようにさらに構成されており、前記１つまたは複数の追加の文脈カテゴリについて順序付けられたオプションの組は、前記文脈カテゴリについて前記提供されたオプションからオプションを特定することに基づいて順序付けられている、
装置。
（付記１６）
前記文脈カテゴリの前記オプションの特定として、ユーザ入力を受信するように構成されたユーザ入力装置をさらに含む、付記１５に記載の装置。
（付記１７）
前記提示装置および前記ユーザ入力装置は、１つのユニットに統合される、付記１６に記載の装置。
（付記１８）
コンテンツの選択に関連する文脈カテゴリについて順序付けられたオプションの組を提供する操作であって、前記文脈カテゴリについて順序付けられたオプションの組は１つまたは複数の他の文脈カテゴリについて前もって決定されたオプションに基づいて順序付けられている、前記文脈カテゴリについて順序付けられたオプションの組を提供する操作と、
コンテンツの選択に関連する１つまたは複数の追加の文脈カテゴリについて順序付けられたオプションの組を提供する操作であって、前記１つまたは複数の追加の文脈カテゴリについて順序付けられたオプションの組は前記文脈カテゴリについて前記提供されたオプションからオプションを特定することに基づいて順序付けられている、前記１つまたは複数の追加の文脈カテゴリについて順序付けられたオプションの組を提供する操作と、
を行うように集合的に構成された１つまたは複数のプロセッサを含む装置。
（付記１９）
コンテンツの選択に関連する文脈カテゴリについて順序付けられたオプションの組を提供する操作であって、前記文脈カテゴリについて順序付けられたオプションの組は１つまたは複数の他の文脈カテゴリについて前もって決定されたオプションに基づいて順序付けられている、前記文脈カテゴリについて順序付けられたオプションの組を提供する操作と、
コンテンツの選択に関連する１つまたは複数の追加の文脈カテゴリについて順序付けられたオプションの組を提供する操作であって、前記１つまたは複数の追加の文脈カテゴリについて順序付けられたオプションの組は前記文脈カテゴリについて前記提供されたオプションからオプションを特定することに基づいて順序付けられている、前記１つまたは複数の追加の文脈カテゴリについて順序付けられたオプションの組を提供する操作と、
を１つまたは複数のプロセッサに共同で行わせるための命令を記憶したプロセッサ可読媒体。
（付記２０）
付記１から１１の方法の１つまたは複数を１つまたは複数のプロセッサに共同で行わせるための命令を記憶したプロセッサ可読媒体。